(57)【要約】      （修正有）【課題】消費者に最高の風味を提供すると共に、安心して飲める飲料調合ボトルを提供する。【解決手段】飲料調合ボトル１００は、ボトル本体１１０、濾過器１２０、及びボトルキャップ収納部１３０を具備し、濾過器１２０は、ボトル本体１１０に設けられて貯水スペース１１６を第１区１１６Ａと第２区１１６Ｂに分割し、第１区１１６Ａは、ボトル口１２に連通し、ボトルキャップ収納部１３０は、ボトル本体１１０の外側に設けられる。【選択図】図１
0003193605.tif 000002
【実用新案登録請求の範囲】
【請求項１】
飲料調合ボトルであって、
第１ボトル口、台座、及び貯水スペースを備えたボトル本体と、
前記ボトル本体内に設けられると共に、前記貯水スペースを、第２区と前記第１ボトル口に連通する第１区とに分割する濾過器と、
前記ボトル本体の外側に設けられる第１ボトルキャップ収納部と、
を備えることを特徴とする飲料調合ボトル。
【請求項２】
前記台座は、着脱可能に前記ボトル本体に実装することが可能であり、かつ前記台座が取り外された後は前記第２区は露出されることを特徴とする請求項１に記載の飲料調合ボトル。
【請求項３】
前記第１ボトル口の内壁は、ねじ山を具備することを特徴とする請求項１又は２に記載の飲料調合ボトル。
【請求項４】
前記第１ボトルキャップ収納部は、円柱状であり、かつ前記第１ボトルキャップ収納部の外壁は、ねじ山を具備することを特徴とする請求項１〜３のいずれか一項に記載の飲料調合ボトル。
【請求項５】
前記ボトル本体の外側に設けられる第２ボトルキャップ収納部を更に備え、
前記ボトル本体は、前記第１区と連通する第２ボトル口を有することを特徴とする請求項１〜４のいずれか一項に記載の飲料調合ボトル。
【請求項６】
前記第１ボトル口と前記台座とは、前記ボトル本体の向かい合う両側に位置することを特徴とする請求項１〜５のいずれか一項に記載の飲料調合ボトル。
【考案の詳細な説明】
【技術分野】
【０００１】
本考案はボトルに関し、特に飲料調合ボトルに関する。
【背景技術】
【０００２】
目下のところ市場における大部分の抽出式飲料は、大部分が飲料メーカーによって工場で製造された後にペットボトルに封入されて販売されている。しかし、お茶類の飲料は、製造された後にその風味が時間の経過につれて劣化する。また、消費者は、飲料の製造過程を確認することができないため、飲料の衛生及び安全性についても消費者を不安にさせる。
【考案の概要】
【考案が解決しようとする課題】
【０００３】
上述の事情に鑑みれば、消費者に最高の風味を提供すると共に、安心して飲める飲料を提供するために、使用される飲料調合ボトルを如何にして設計するかが期待される解決すべき課題となる。
【０００４】
本考案は、上述の問題点に鑑みてなされたものであり、本考案は、飲料調合ボトルを提供し、市場において販売される飲料が消費者の求める問題を満足させることができないことを解決することを目的とする。
【課題を解決するための手段】
【０００５】
これらの問題を解決するため、本考案による飲料調合ボトルは、第１ボトル口、台座、及び貯水スペースを備えたボトル本体と、前記ボトル本体内に設けられると共に、前記貯水スペースを、第２区と前記第１ボトル口に連通する第１区とに分割する濾過器と、前記ボトル本体の外側に設けられる第１ボトルキャップ収納部とを備える。
【０００６】
また、本考案の１つの実施形態において、前記飲料調合ボトルの前記台座は、着脱可能に前記ボトル本体に実装するように設計することもでき、かつ前記台座が取り外された後、前記第２区は露出される。
【０００７】
また、本考案の１つの実施形態において、前記第１ボトル口の内壁は、ねじ山を具備する。
【０００８】
また、本考案の１つの実施形態において、前記第１ボトルキャップ収納部は、円柱状であり、かつ前記第１ボトルキャップ収納部の外壁は、ねじ山を具備する。
【０００９】
本考案の１つの実施形態において、飲料調合ボトルは、前記ボトル本体の外側に設けられる第２ボトルキャップ収納部を更に含む。前記ボトル本体は、前記第１区と連通する第２ボトル口を備える。
【００１０】
また、本考案の１つの実施形態において、前記第１ボトル口と前記台座とは、前記ボトル本体の向かい合う両側に位置する。
【考案の効果】
【００１１】
以上の様に、本考案の飲料調合ボトルは消費者に自ら飲料を調合させることを提供させることができ、出来立ての飲料を安心して飲むことができる。同時に、ボトルキャップ収納部は、ボトル封入水のキャップを収納して紛失を免れることができる。
【図面の簡単な説明】
【００１２】
【図１】本考案の一実施例に基づいた飲料調合ボトルの使用状態説明図である。
【図２】本考案の他の実施例に基づいた飲料調合ボトルの使用状態説明図である。
【考案を実施するための形態】
【００１３】
本考案の上述した特徴と利点を更に明確化するために、以下、実施例を挙げて、図面と共に詳細な内容を説明する。
【００１４】
図１を参照すると、本考案の一実施例の飲料調合ボトル１００は、ボトル本体１１０、濾過器１２０及び第１ボトルキャップ収納部１３０を含む。ボトル本体１１０は、第１ボトル口１１２、台座１１４、及び貯水スペース１１６を備える。具体的には、ボトル本体１１０は、一般的なボトルと近似していても差し支えない。また、第１ボトル口１１２は、飲料水が貯水スペース１１６に注がれる経路及び貯水スペース１１６から出て行く経路を提供する。台座１１４は、ボトル本体１１０を安定的に立たせることができる。濾過器１２０は、ボトル本体１１０内に設けられ、貯水スペース１１６を第１区１１６Ａと第２区１１６Ｂとに分割する。換言すると、液体は、第１区１１６Ａと第２区１１６Ｂとの間を自由に流動することができるが、寸法が濾過器１２０のフィルタ孔径の寸法よりも大きい物体は、第１区１１６Ａと第２区１１６Ｂとの間を自由に移動することができない。第１区１１６Ａは、第１ボトル口１１２に連通し、つまり第１ボトル口１１２から注がれた飲料水は、先ず第１区１１６Ａに進入し、濾過器１２０を通過して第２区１１６Ｂに進入する。第１ボトルキャップ収納部１３０は、ボトル本体１１０の外側に設けられる。
【００１５】
上述した様な、本実施例の飲料調合ボトル１００は、例えば水出し冷茶、ハイビスカスティー、若しくはその他の飲料に用いることができる。ここで、水出し冷茶を例にして、本実施例の飲料調合ボトル１００の各機能について説明する。原料としての茶葉５０は、貯水スペース１１６の第２区１１６Ｂに入れられる。使用者は、自身の水筒若しくはその他の飲料水の提供設備から、直接的に飲料水を第１ボトル口１１２を経由して貯水スペース１１６に注ぐことができる。当然、使用者は、市販のボトル封入飲料水のボトル口１２を直接的に第１ボトル口１１２に宛がって、飲料水を第１ボトル口１１２から貯水スペース１１６に注いでも差し支えない。特に、本実施例の飲料調合ボトル１００は、第１ボトルキャップ収納部１３０を具備するので、水筒若しくはボトル封入飲料水のボトルキャップ１４を取り外した後に、それを第１ボトルキャップ収納部１３０に収納することができ、ボトルキャップ１４の保存問題について心配する必要がなく、容易に紛失することがない。また、本実施例の飲料調合ボトル１００の台座１１４は、ボトル本体１１０を安定的に立たせるように設計される。よって、使用者は、ボトル封入飲料水のボトル口１２を第１ボトル口１１２に直接宛がった後、飲料調合ボトル１００を、ボトル封入飲料水のボトル本体１０に合体させてテーブル若しくはその他の場所に放置させることができ、飲料調合ボトル１００を持続して持ち続ける必要がない。同様に、自身の水筒若しくはその他の飲料水の提供設備から飲料水を注いだ後に、テーブル若しくはその他の場所に放置させることができ、飲料調合ボトル１００を持続して持ち続ける必要がない。
【００１６】
飲料水が貯水スペース１１６に注がれた後、第２区１１６Ｂに進入して、第２区１１６Ｂの茶葉５０と混ぜ合わされてお茶が調合される。消費者の好みに基づいて、適当な時間放置し、又はよく振って待ち時間を短縮させた後、調合し終わったお茶は、第１ボトル口１１２から出て行き、或いは、使用者は、第１ボトル口１１２でお茶を直接飲むことができる。上述の如何なる方式によっても、使用される茶葉５０は濾過器１２０により阻止されて第１区１１６Ａに進入することができず、茶葉５０が第１ボトル口１１２を介して流出してお茶を飲むときの口当たりに影響を及ぼすことを免れることができる。上述した説明から、本実施例の飲料調合ボトル１００は、使用者が飲料を飲もうとするときに自ら飲料を調合させることができ、新鮮な出来立ての飲料を飲むことができ、自らが調合の飲料に使用した原料の品質に対してきびしく検査することができ、飲まれる飲料の食の安全を心配する必要がない。
【００１７】
本実施例において、飲料調合ボトル１００の第１ボトル口１１２と台座１１４とは、それぞれボトル本体１１０の向かい合う両側に位置するので、ボトル封入水が飲料調合ボトル１００に封入されたとき、飲料調合ボトル１００が立ち続けることを可能とする。本実施例の第１ボトル口１１２の内壁は、ねじ山１１２Ａを備える。このため、第１ボトル口１１２は、ねじ山１１２Ａを利用してボトル封入飲料水のボトル口１２の外側のねじ山１２Ａと螺合し、ボトル封入飲料水のボトル本体１０がしっかりと飲料調合ボトル１００に装着される。当然、ボトル口１２の構造に応じて、第１ボトル口１１２は、その他の構造を用いることも可能である。また、第１ボトル口１１２にも如何なる結合するための構造を設けないことができる。更に、本実施例の第１ボトル口１１２は、ボトル口１２を第１ボトル口１１２の中に挿入する構造を例としたが、第１ボトル口１１２をボトル口１２の中に挿入しても差し支えない。
【００１８】
同様に、本実施例の第１ボトルキャップ収納部１３０は、円柱形状を例にし、かつボトルキャップ収納部１３０の外壁は、ねじ山１３２を備える。このため、ボトルキャップ収納部１３０は、ねじ山１４Ａによってボトル封入飲料水用のボトルキャップ１４内のねじ山１４Ａに螺合することができ、ボトルキャップ１４をしっかりとボトルキャップ収納部１３０に装着することができる。当然、ボトルキャップ１４の構造に応じて、ボトルキャップ収納部１３０は、その他の構造を用いることも可能である。また、ボトルキャップ収納部１３０は、如何なる結合するための構造を設けなくても、ボトルキャップ１４と結合することが可能である。更に、本実施例のボトルキャップ収納部１３０は、ボトルキャップ１４を外側に外嵌する設計を例としたが、ボトルキャップ収納部１３０は、ボトルキャップの内部に収納されるようにしても差し支えない。ここで、ボトルキャップ収納部１３０は、ボトル封入飲料水を収納するためのボトルキャップ１４を例としたが、本実施例の飲料調合ボトル１００自体は、第１ボトル口１１２に蓋をするボトルキャップ（図示せず）にも用いることができ、飲料調合を行う過程において飲料調合ボトル１００自身のボトルキャップ（図示せず）をボトルキャップ収納部１３０に収納することができる。
【００１９】
本実施例において、飲料調合ボトル１００の台座１１４は、着脱可能にボトル本体１１０に実装するように設計することもでき、かつ台座１１４が取り外された後、第２区１１６Ｂは露出される。このように設計することにより、使用者は、台座１１４を取り外して第２区１１６Ｂにおいて使用された茶葉５０を取り出すことができる。また、新たな茶葉５０、若しくはその他の調合飲料に必要とされる原料を入れることができ、飲料調合ボトル１００を繰り返して使用する。しかし、台座１１４は、ボトル本体１１０に一体的に形成しても良い、または、飲料調合ボトル１００は、使い捨て式のタイプとしてもよい。
【００２０】
続いて図２を参照すると、本考案の他の実施例の飲料調合ボトル２００と図１の飲料調合ボトルとは共通している部分が多く、異なる点は、飲料調合ボトル２００が更に第２ボトルキャップ収納部２３０を備え、かつボトル本体２１０が更に第２ボトル口２１２を備える点である。第２ボトルキャップ収納部２３０は、ボトル本体２１０の外側に設けられ、第１区１１６Ａは、第２ボトル口２１２に連通する。目下の市場におけるボトル封入水は、大きいものも有れば小さいものも有るため、第２ボトル口２１２と第２ボトルキャップ収納部２３０との設計位置により、本実施例の飲料調合ボトル２００は、２個のボトル封入水（図示せず）を第１ボトル口１１２と第２ボトル口２１２とに同時に連接することができる。
【００２１】
以上の様に、本考案の飲料調合ボトルは、消費者に自ら飲料を調合させることを提供させることができ、出来立ての飲料を安心して飲むことができる。同時に、ボトルキャップ収納部は、ボトル封入水のキャップを収納して紛失を免れることができる。
【００２２】
本考案は、以上の実施例のように示したが、本考案は、これに限られるものではなく、当業者が本考案の精神の範囲から逸脱しない範囲において、変更又は修正することが可能であるが故に本考案の保護範囲は、均等の範囲にまで及ぶものとする。
【符号の説明】
【００２３】
１０  ボトル封入飲料水のボトル本体
１２  ボトル口
１２Ａ、１４Ａ  ねじ山
１４  ボトルキャップ
５０  茶葉
１００  飲料調合ボトル
１１０  ボトル本体
１１２  第１ボトル口
１１２Ａ、１３２  ねじ山
１１４  台座
１１６  貯水スペース
１１６Ａ  第１区
１１６Ｂ  第２区
１２０  濾過器
１３０  第１ボトルキャップ収納部
【図１】
0003193605.tif 000003
【図２】
0003193605.tif 000004